(57)【要約】【課題】ＣＯ２の再利用はどのようにできるか。【解決手段】ＣＯ２に、紫外線やＸ線を照射し、最外殻の電子を排斥させることによって、３ｅ−とＣ＋と２Ｏ＋を得、荷電粒子の場を作る。反応式は、ＯＣＯ＋紫外線やＸ線＝Ｏ＋＋ｅ−＋Ｃ＋＋ｅ−＋ｅ−＋Ｏ＋＋光子、です。更に、Ｃ＋＋ｅ−＝Ｃ＋光子、Ｏ＋ｅ−＝Ｏ＋光子、と発熱反応を進め、更に、Ｃ＋２Ｏ＝ＣＯ２＋光子、と発熱反応を起こす。【選択図】図２
2008222550.tif 000002
【特許請求の範囲】
【請求項１】
ＣＯ２は高エネルギー物質である。これに、紫外線やＸ線を照射したら、ＣＯ２はどのようになるか。
Ｃの最外殻の電子のラブの公転軌道と、Ｏの最外殻の電子のラブとは磁気の光子がダブルクロス回転することによってしっかり結合している。（ダブルクロス回転とは、私が、２００４年８月３１日に提出した、特願２００４−２８５４０９において記した。）
ＣやＯの最外殻の軌道より小さな軌道の紫外線やＸ線を照射することにより、最外殻の電子のラブが排斥される。この時熱を発生する。
これを式にすると、
ＯＣＯ＋紫外線やＸ線＝Ｏ＋＋ｅ−＋Ｃ＋＋ｅ−＋ｅ−＋Ｏ＋＋光子、です。
そして、電子のラブとＣ＋とＯ＋の荷電粒子の場ができる。
この事によって、高エネルギーの場を得ることができる。
【請求項２】
ＣＯ２は高エネルギー物質である。これに、低波長の紫外線またはＸ線を照射すると、ＣＯ２は電離し、電子のラブを放出しＣ＋とＯ＋になる。これを使い更に熱を得るためにどのようにするか。
更に次の反応を起こさせる。
Ｃ＋は、Ｃ＋＋ｅ−＝Ｃ＋光子、の発熱反応で安定になる。熱を得る
Ｏ＋は、Ｏ＋＋ｅ−＝Ｏ＋光子、の発熱反応で安定に成る。熱を得る。
更に次の反応を起こさせる。
Ｃ＋２Ｏ＝ＣＯ２＋光子、の発熱反応をさせ、高エネルギーのＣＯ２を得る。熱を得る。
このＣＯ２に紫外線やＸ線を照射し、循環再利用する。
【発明の詳細な説明】
【技術分野】
【０００１】  この発明は、ＣＯ２の再利用に関する。
【背景技術】
【０００２】  近年、多量のＣＯ２が空気中に排泄されることにより、地球の温暖化が懸念されている。しかし、その解決方法は無い。
【発明の開示】
ＣＯ２は高エネルギー物質である。この高エネルギーを活用したい。
▲１▼ＣＯ２は高エネルギー物質である。これに、低波長の紫外線またはＸ線を照射すると、ＣＯ２は電離し、電子を放出しＣ＋とＯ＋になる。この時熱を発生する。
このような、荷電粒子の場を作ることによって、熱の場を得ることができる。
▲２▼ＣＯ２は高エネルギー物質である。これに、低波長の紫外線またはＸ線を照射すると、ＣＯ２は電離し、電子のラブを放出しＣ＋とＯ＋になる。
更に、Ｃ＋＋ｅ−＝Ｃ＋光子。Ｏ＋＋ｅ−＝Ｏ＋光子、の反応により熱を得る。
更に、Ｃ＋Ｏ２＝ＣＯ２＋光子、の反応により熱を得る。
この反応を繰り返す。
【発明が解決しようとする課題】
【０００３】１．ＣＯ２は高エネルギー物質である。これに、波長の短い紫外線やＸ線を照射したら、ＣＯ２はどのようになるか。
２．ＣＯ２は高エネルギー物質である。これに、低波長の紫外線またはＸ線を照射すると、ＣＯ２は電離し、電子のラブを放出しＣ＋とＯ＋になる。これを使い更に熱を得るためにどのようにするか。
【課題を解決するための手段】
【０００４】  ＣＯ２はどのような状態になっているか。
私は、２００４年８月３１日に提出した、特願２００４−２８５４０９において、
（Ａ元素とＢ元素が結合する場合、Ａ元素の外側の磁気の光子は、Ａ元素の最外殻の電子のラブの公転と、Ｂ元素の最外殻の電子のラブの公転をクロス回転するので、しっかり結合する。
Ｂ元素の外側の磁気の光子は、Ｂ元素の最外殻の電子のラブの公転と、Ａ元素の最外殻の電子のラブの公転をクロス回転する。
このように、自分の電子のラブの公転と、他の元素の電子のラブの公転を共にクロス回転することを‘ダブルクロス回転’と名づける。
ダブルクロス回転によって、Ａ元素とＢ元素はしっかり結合する。）と記した。
それで、Ｃの最外殻の電子のラブの公転軌道と、Ｏの最外殻の電子のラブの公転軌道とは磁気の光子のダブルクロス回転によってしっかり結合している。
ＣＯ２に、最外殻の電子のラブの公転軌道より小さい軌道の紫外線やＸ線を照射すると、紫外線やＸ線は、最外殻の電子のラブを排斥する。磁気の光子のダブルクロス回転で結合していた、Ｃの最外殻の電子のラブとＯの最外殻の電子のラブは排斥され、電子のラブとＣ＋とＯ＋が存在する。
これを式にすると、
ＯＣＯ＋紫外線やＸ線＝Ｏ＋＋ｅ−＋Ｃ＋＋ｅ−＋ｅ−＋Ｏ＋＋光子、です。
【発明の実施態様】
【０００５】１．ＣＯ２は高エネルギー物質である。これに、紫外線やＸ線を照射したら、ＣＯ２はどのようになるか。
Ｃの最外殻の電子のラブの公転軌道と、Ｏの最外殻の電子のラブとは磁気の光子がダブルクロス回転することによってしっかり結合している。
ＣやＯの最外殻の軌道より小さな軌道の紫外線やＸ線を照射することにより、最外殻の電子のラブが排斥される。この時熱を発生する。
これを式にすると、
ＯＣＯ＋紫外線やＸ線＝Ｏ＋＋ｅ−＋Ｃ＋＋ｅ−＋ｅ−＋Ｏ＋＋光子、です。
そして、電子のラブとＣ＋とＯ＋の荷電粒子の場ができる。
この事によって、高エネルギーの場を得ることができる。
２．ＣＯ２は高エネルギー物質である。これに、低波長の紫外線またはＸ線を照射すると、ＣＯ２は電離し、電子のラブを放出しＣ＋とＯ＋になる。これを使い更に熱を得るためにどのようにするか。
更に次の反応を起こさせる。
Ｃ＋は、Ｃ＋＋ｅ−＝Ｃ＋光子、の発熱反応で安定になる。熱を得る
Ｏ＋は、Ｏ＋＋ｅ−＝Ｏ＋光子、の発熱反応で安定に成る。熱を得る。
更に次の反応を起こさせる。
Ｃ＋２Ｏ＝ＣＯ２＋光子、の発熱反応をさせ、高エネルギーのＣＯ２を得る。熱を得る。
このＣＯ２に紫外線やＸ線を照射し、循環再利用する。
【発明の効果】
【０００６】ＯＣＯ＋紫外線やＸ線＝Ｏ＋＋ｅ−＋Ｃ＋＋ｅ−＋ｅ−＋Ｏ＋＋光子の反応式が起きることによって、Ｃの最外殻の電子のラブの公転軌道は、２つのＯの最外殻の電子のラブの公転軌道と、磁気の光子のダブルクロス回転によって結ばれていることを証明できた。
地球の温暖化を阻止するため、ＣＯ２の再利用を考えることができた。
原油が高騰する中で、ＣＯ２の再利用を考えることができた。
【図面の簡単な説明】
【０００７】
【図１】ＣＯ２の結合。Ｃの最外殻の電子のラブの公転軌道と、Ｏの最外殻の電子のラブとは磁気の光子のダブルクロス回転によってしっかり結合している。
【図２】ＣＯ２の最外殻より小さい軌道の紫外線やＸ線を照射した場合、最外殻の電子のラブは排斥される。ＯＣＯ＋紫外線やＸ線＝Ｏ＋＋ｅ−＋Ｃ＋＋ｅ−＋ｅ−＋Ｏ＋＋光子、の発熱反応が起きる。
【図３】Ｃ＋は、Ｃ＋＋ｅ−＝Ｃ＋光子、の発熱反応で安定になる。Ｏ＋は、Ｏ＋＋ｅ−＝Ｏ＋光子、の発熱反応で安定に成る。
【図４】Ｃ＋２Ｏ＝ＣＯ２＋光子、の発熱反応をさせ、高エネルギーのＣＯ２を得る。
【符号の説明】
１  炭素
２  酸素
３  最外殻の電子のラブ
４  最外殻の電子のラブの公転軌道
５  ダブルクロス回転をする磁気の光子
６  照射する紫外線やＸ線
【図１】
2008222550.tif 000003
【図２】
2008222550.tif 000004
【図３】
2008222550.tif 000005
【図４】
2008222550.tif 000006
【手続補正書】
【提出日】平成20年5月3日(2008.5.3)
【手続補正１】
【補正対象書類名】図面
【補正対象項目名】図２
【補正方法】変更
【補正の内容】
【図２】
2008222550.tif 000007
【手続補正２】
【補正対象書類名】図面
【補正対象項目名】図３
【補正方法】変更
【補正の内容】
【図３】
2008222550.tif 000008